(57)【要約】本発明は、略管状形状を有するとともに長手方向軸（Ａ）に沿って延設されるペースト状または半液体状製品のための容器（２，１９）に関する。容器は、密閉された平坦な第一縦方向端部（５０）と、第一縦方向端部（５０）とは反対側であり開口部（１４）と供給要素（１５）とを備えている第二縦方向端部（５１）と、互いに対向する第一縦方向端部（５０）と第二縦方向端部（５１）との間に配置される第一側壁（６０）および第二側壁（６１）と、を備える。容器は、第一側壁（６０）および第二側壁（６１）に、長手方向軸（Ａ）に対して横方向であり複数の対応する領域（７，８，１０，１１）を形成する複数の第一脆弱線（５，５’，５”，５”’）を有する。領域（７，８，１０，１１）に関して対応する安定構成を形成するよう、領域は、互いに向かう二つずつ、選択的に、かつ第一縦方向端部（５０）から第二縦方向端部（５１）へと漸進的に圧搾可能である。さらに容器は、第一側壁（６０）および第二側壁（６１）に、第一脆弱線に対して交差している複数の第二脆弱線（３，９，１１ａ，２０）を有する。【選択図】図６
2018536598.tif 000002
【特許請求の範囲】
【請求項１】
略管状形状を有するとともに長手方向軸（Ａ）に沿って延設される、ペースト状または半液体状製品のための容器であって、
密閉された平坦な第一縦方向端部（５０）と、
前記第一縦方向端部（５０）とは反対側であり、開口部（１４）と供給要素（１５）とを備えている第二縦方向端部（５１）と、
互いに対向する、前記第一縦方向端部（５０）と前記第二縦方向端部（５１）との間に配置される第一側壁（６０）および第二側壁（６１）と、
を備える容器（２，１９）において、
前記第一側壁（６０）および前記第二側壁（６１）に、前記長手方向軸（Ａ）に対して交差しており、複数の対応する領域（７，８，１０，１１）を前記第一側壁（６０）および前記第二側壁（６１）上に形成する複数の第一脆弱線（５，５’，５”，５”’）を有しており、
前記第一脆弱線（５，５’，５”，５”’）によって、前記領域（７，８，１０，１１）に関して対応する安定構成が形成されるよう、前記領域（７，８，１０，１１）は、互いに向かう二つずつ、選択的に、かつ前記第一縦方向端部（５０）から前記第二縦方向端部（５１）へと漸進的に圧搾可能であり、
前記第一側壁（６０）および前記第二側壁（６１）に、前記容器（２，１９）の前記第一脆弱線（５，５’，５”，５”’）に対して交差している複数の第二脆弱線（３，９，１１ａ，２０）が形成されている容器。
【請求項２】
請求項１に記載の容器において、前記第一側壁（６０）の側方縁部は、前記第二側壁（６１）の側方縁部に直接連結されている容器。
【請求項３】
請求項２に記載の容器において、前記第一側壁（６０）の前記側方縁部は、前記第二側壁（６１）の前記側方縁部に密封されている容器。
【請求項４】
請求項３に記載の容器において、前記第二脆弱線（３，９，１１ａ）は、前記第一脆弱線（５，５’，５”，５”’）と直交している容器。
【請求項５】
請求項３に記載の容器において、前記第二脆弱線（２０）は、前記第一脆弱線（５，５’，５”，５”’）に対して傾斜している容器。
【請求項６】
請求項１から５のいずれか一に記載の容器において、前記領域（７，８，１０，１１）は、前記容器内の製品の所定の一回の分量に対応する前記容器の部分を定義している容器。
【請求項７】
請求項６に記載の容器において、前記所定の一回の分量の製品に対応する量は、前記容器（２，１９）の前記第一側壁（６０）および／または前記第二側壁（６１）上に、例えばミリリットルの尺度での印刷を用いて、示されている容器。
【請求項８】
請求項１から７のいずれか一に記載の容器において、薄層材料のブランク（１，１８）から形成される容器。
【請求項９】
請求項８に記載の容器において、前記薄層材料は、複数の積層によって構成されている容器。
【発明の詳細な説明】
【技術分野】
【０００１】
本発明は、紙部材と、加熱による密封可能なプラスチック材料から成る少なくとも一つの他の部材と、を有する多層材料で好ましくは形成されるペースト状または半液体状製品のための容器に関する。
【０００２】
収容される製品は、例えば、食品（例えばトマトペースト、からしまたは他の調味料）または種々の他の製品のうちの任意のもの（例えば練り歯磨き、靴墨）とできる。
【背景技術】
【０００３】
知られている通り、この種の製品は、一方の端部が密閉されており、他方の端部に関連したキャップを有する供給要素を有する略管状形状の容器に入れられるのが実用上一般的である。
【０００４】
その内容物が供給要素を通じて吐出するよう手でチューブを圧搾することにより絞り出されるこれらの容器は、通常プラスチックまたは金属で形成されており、これらの容器の製造は比較的複雑で費用がかかるプロセスである。
【０００５】
さらに、多くの場合、製品が供給されるとき、吐出される製品は吸い込まれる空気と入れ替わり、当該空気は容器の密閉された端部へと入っていく。容器の内側の製品がすぐに腐敗しやすい場合、容器の内側に空気が存在することによって、残りの製品を損なうようなプロセスが発生しやすくなる。
【０００６】
ペースト状または半液体状製品のためのこの種類の容器が可撓性プラスチック材料で形成されている場合、内容物の一部が吐出された後、容器の内部に存在する空気を除去することができない。その可撓性によって、空気を永続的に押し出す変形を維持できないからである。
【０００７】
さらに、容器から製品をすべて絞り出すことが多くの場合できない。
【０００８】
先の場合と違って、関連の容器が薄いアルミニウム・シーティングで形成されている場合、容器の密閉された端部を巻き上げることができる。しかしながら、この動作は、やや非実用的で、不十分である。
【０００９】
米国特許第３０６５８９８号明細書（ＵＳ３０６５８９８）には、アルミ箔などの変形可能材料で形成されており、その長手方向軸に対して横方向である複数の脆弱線が形成されている容器が開示されている。これらの脆弱線は、第一側壁を複数の領域に分割しており、その領域を選択的にペア毎に互いに向かって押圧可能であり、これにより、ペースト状製品を容器から出すよう圧搾することができる。これらの横方向脆弱線は、設定された目的に対しては有用であるが、製品の正しい一回の分量を正確に適量供給することを保証するには適していない。
【発明の概要】
【００１０】
本発明の目的は上述の欠点を解決することにある。
【００１１】
この目的は、添付の特許請求の範囲の請求項に記載したペースト状または半液体状製品のための容器を提供することにより達成される。
【００１２】
本発明が提供する容器は、そこから製品をすべて吐出することができると同時に空気を排出することができる利点がある。したがって、製品の浪費と腐敗とを回避することができる。
【００１３】
さらに、本発明の容器は、従来技術解決法と比較して製造するのが簡単で安価である。
【図面の簡単な説明】
【００１４】
本発明を、本発明を限定するものではない二つの実施形態を示す以下の添付図面を参照して説明する。なお、図２から図７は、図１のブランクを用いて得られた、その生産および使用における異なる工程での容器を示している。
【図１】本発明の容器の第一実施形態を形成するために用いることができるブランクを示す。
【図２】図１のブランクを用いて得られた容器を示す。
【図３】図１のブランクを用いて得られた容器を示す。
【図４】図１のブランクを用いて得られた容器を示す。
【図５】図１のブランクを用いて得られた容器を示す。
【図６】図１のブランクを用いて得られた容器を示す。
【図７】図１のブランクを用いて得られた容器を示す。
【図８】本発明にかかる容器の第二実施形態を形成するために用いることができるブランクを示す。
【図９】図８のブランクを用いて得られた容器を、その生産における異なる工程で、示す。
【図１０】図８のブランクを用いて得られた容器を、その生産における異なる工程で、示す。
【図１１】図８のブランクを用いて得られた容器を、その生産における異なる工程で、示す。
【図１２】図８のブランクを用いて得られた容器を、その生産における異なる工程で、示す。
【発明を実施するための形態】
【００１５】
略管状形状を有するとともに長手方向軸Ａに沿って延設されるペースト状または半液体状製品のための容器２，１９を、図２〜図７および図９〜図１２に示す。
【００１６】
容器２，１９は、密閉された平坦な第一縦方向端部５０と、第一縦方向端部５０とは反対側であり開口部１４と供給要素１５とを備えている第二縦方向端部５１と、を備える。
【００１７】
容器２，１９は、また、互いに対向する、第一縦方向端部５０と第二縦方向端部５１との間に配置される第一側壁６０および第二側壁６１を備える。
【００１８】
より詳細には、容器２は、第一側壁６０および第二側壁６１に、長手方向軸Ａに対して横方向であり、複数の対応する領域７，８，１０，１１を第一側壁６０および第二側壁６１上に形成する複数の第一脆弱線５，５’，５”，５”’を有する。第一脆弱線５，５’，５”，５”’によって、第一側壁６０および第二側壁６１の領域（７，８，１０，１１）は、互いに向かう二つずつ、選択的に、かつ第一縦方向端部５０から第二縦方向端部５１へと漸進的に圧搾可能であり、これにより、領域７，８，１０，１１に関して対応する安定構成が形成される。
【００１９】
開口部１４が、製品を適量供給可能とするための供給要素１５に配置されていることは明らかであろう。
【００２０】
領域７，８，１０，１１を圧搾すること（すなわち互いに向かう圧縮）によって、製品は供給要素１５における開口部１４を通じて吐出される。
【００２１】
領域７，８，１０，１１の「安定構成」は、一旦互いに向かって圧搾されると、領域７，８，１０，１１は圧搾作用によって確定した位置の状態のままとなることを意味する。このことは、言い換えれば、第一側壁６０および第二壁６１の領域７，８，１０，１１はそれぞれ、二つの安定構成を有することを意味する。第一構成は、互いに向かって圧搾される前の構成として定義され、第二構成は、互いに向かって圧搾された後の構成として定義される。
【００２２】
語「脆弱線」は、所定形状を取らせるために材料を曲げやすくするよう弱くした、商品（この場合容器）を形成する材料に沿った線を意味するよう用いる。
【００２３】
領域７，８，１０，１１は、圧搾された後には安定構成を取るよう、互いに向かう二つずつ、選択的に、かつ第一縦方向端部５０から第二縦方向端部５１へと漸進的に圧搾可能であることによって、容器内からの空気を排出すると同時に容器から製品を最適に適量供給できる利点がある。
【００２４】
したがって、製品の浪費と腐敗とを回避することができる。
【００２５】
好ましくは、第一側壁６０の各領域は、側壁６１の各領域と並んで配置される。すなわち、第一側壁６０のそれぞれの領域は、第二側壁６１の対応する領域と対向している。
【００２６】
供給要素１５は、キャップ１６を有することができる。キャップ１６は、例えば、供給要素１５の他の部分にネジ締め固定可能とできる。
【００２７】
本発明の好ましい実施態様において、第一側壁６０の側方縁部は、第二側壁６１の側方縁部に直接連結される。例えば、第一側壁６０の側方縁部は、第二側壁６１の側方縁部に、（この説明の続きによってより明瞭となる通り）密封（seal）によって直接連結される。この仕様により、領域７，８，１０，１１が圧縮されるとき空気および製品の放出を邪魔する場合がある「蛇腹状の」折り畳み（すなわち容器の延設の長手方向に沿って平らにされた部分）を防止できる利点がある。
【００２８】
好ましくは、領域７，８，１０，１１が圧搾されるとき、第一側壁６０と第二側壁６１とが互いに接触する。その場合、製品および空気を、容器から完全に放出することができる。
【００２９】
好ましくは、第一側壁６０および第二側壁６１に、容器２，１９は、容器２，１９の第一脆弱線５，５’，５”，５”’に対して交差している複数の第二脆弱線３，９，１１ａ，２０を有する。これらの第二脆弱線３，９，１１ａ，２０により、領域７，８，１０，１１を圧搾（すなわち圧縮）しやすくできる。
【００３０】
例えば、第二脆弱線３，９，１１ａは、第一脆弱線５，５’，５”，５”’と直交する。あるいは、第二脆弱線２０は、第一脆弱線５，５’，５”，５”’に対して傾斜している。
【００３１】
好ましい実施形態において、領域７，８，１０，１１は、所定の一回の分量の製品に対応する容器の部分を定義する。このように、容器２，１９を、製品の正しい一回の分量を適量供給するよう用いることができ、これにより、望ましくない浪費を回避できる利点がある。
【００３２】
例えば、所定の一回の分量の製品に対応する量を、容器２，１９の第一側壁６０および／または第二側壁６１上に、例えばミリリットルの尺度での印刷を用いて、示すことができる。
【００３３】
例えば、図示する場合のように、第二縦方向端部５１は、好ましくは、形状が四角形（正方形または長方形）である。
【００３４】
好ましくは、以下に詳細に説明する通り（例えば図１、図２、図８に図示する通り）、容器２，１９は、薄層材料のブランク１，１８から形成される。
【００３５】
好ましくは、薄層材料は、複数の積層によって構成されている。例えば、材料は、紙部材と、加熱によって密封可能なプラスチック材料から成る少なくとも一の他の部材と、を有する多層材料である。
【００３６】
図１を参照して、容器２を形成可能なブランク１は、長方形の形状である。
【００３７】
図１において垂直方向に配置された縦方向寸法で見て、ブランク１は、ブランク１自体の対応する垂直縁部４と近接して並んで配置される二つの縦方向脆弱線３と、参照符号５で概略的に示す垂直縁部４を互いに接続する複数の横方向脆弱線と、を有する。ブランク１の最上部および最下部の横方向線５は、ブランク１自体の対応する水平方向縁部６と近接して並んで配置される。
【００３８】
下から二つの横方向脆弱線５と垂直縁部４とが一体的に長方形の領域すなわちパネル７を定義する。同様に、上から二つの横方向脆弱線５と垂直縁部４とが一体的に長方形の領域すなわちパネル８を定義する。
【００３９】
最上部のパネル７と最下部のパネル８とをそれぞれ区切る横方向線５間に、ブランク１は、互いから等間隔で配置される複数の横方向脆弱線５をペアで有する。図１には、これらの線５が九個ある（この数は限定とみなすべきものではない）。図１で垂直方向において中間の横方向脆弱線には参照符号５’を付す。一方、線５’に隣接しており、線５’に対して、最上部のパネル７を区切る横方向線５の側と、最下部のパネル８を区切る横方向線５の側と、にある二つの横方向線５にはそれぞれ参照符号５”，５”’を付す。
【００４０】
最上部のパネル７と最下部のパネル８とをそれぞれ区切る横方向線５間に、ブランク１はまた、縦方向脆弱線３と平行な二つの脆弱線９を有する。二つの脆弱線９はそれぞれ、これらの脆弱線３のうちの一方と近接して並んで配置されるとともにそれら脆弱線３自体の間に位置している。それぞれの脆弱線９は、近接して並んで配置される脆弱線３から、（例えば）長さが二つの互いに近接して並んで配置される横方向脆弱線５間の距離と略等しい範囲で、間隔を空けて配置されており、これにより、それぞれの脆弱線３と、近接して並んで配置される脆弱線９と、線３，９と交差する横方向脆弱線５と、が一体的に、ブランク１の表面において形成される脆弱線によって周辺が定義される複数の略正方形領域すなわちパネル１０を定義する。
【００４１】
最上部のパネル７と最下部のパネル８とをそれぞれ区切る横方向線５の中央域から、縦方向脆弱線３と平行な二つのさらなる脆弱線１１ａが延設され、それぞれ横方向線５”，５”’まで延びている。
【００４２】
各脆弱線１１ａは、近接して並んで配置される脆弱線３から、（例えば）長さが二つの互いに近接して並んで配置される横方向脆弱線５間の距離と略等しい範囲で、間隔を空けて配置されており、これにより、それぞれの脆弱線１１ａと、近接して並んで配置される脆弱線３と、線３，１１ａと交差する横方向脆弱線５と、が一体的に、ブランク１の表面において形成される脆弱線によって周辺が定義される複数の略正方形領域すなわちパネル１１を定義する。
【００４３】
パネル１０，１１のそれぞれは、脆弱線として形成される対角線１２を有する。
【００４４】
それぞれが、横方向線５”’の一部によって定義される一方の辺と、横方向線５’の一部によって定義される反対側の辺と、を有する二つのパネル１０では、その対角線１２は、横方向線５”’自体と脆弱線９との間の交点にある一方の端部と、脆弱線３上に配置される他方の端部と、を有する。それぞれが、横方向線５”の一部によって定義される一方の辺と、横方向線５’の一部によって定義される反対側の辺と、を有する二つのパネル１０では、その対角線１２は、横方向線５”自体と脆弱線９との間の交点にある一方の端部と、脆弱線３上に配置される他方の端部と、を有する。
【００４５】
ブランク１の最上部の横方向脆弱線５および最下部の横方向脆弱線５の一つと、一の縦方向脆弱線３と、の交点のそれぞれに、弓状に曲がった脆弱線１３のそれぞれの端部が位置しており、その弓状に曲がった脆弱線１３のそれぞれの他端は線３自体の近傍に配置される縦方向脆弱線９の端点と一致している。それぞれの弓形線１３の凹部は、弓形線１３自体の一方の端部がある縦方向線３に面している。
【００４６】
ブランク１の中央部において、ブランク１自体は、孔を形成するための脆弱線５’を跨ぐ円形域１４を備えることができる。例えば、この円形域１４には、供給要素１５の他の部分にネジ締め固定できるとともに適当な歯（図示せず）を有するキャップ１６が配置される供給要素１５を固定することができる。キャップ１６の歯は、キャップ１６のネジが最初に緩められるとき（すなわち容器が初めて空けられるとき）、円形域１４に孔を形成するために用いられる。この円形域１４は、製品の、特に食物製品の無菌状態を保証するように設計されている。
【００４７】
図２〜図４を参照して、容器２は、横方向線５’を中心にブランク１を１８０°折り畳むことにより、ブランク１から構成される。これにより、ブランク１の線５’とそれぞれの水平方向縁部６との間で延設されるブランク１の部分は、向かい合って配置される（図２）。
【００４８】
好ましくは、上述した容器の実施形態では、折り畳まれたブランク１の上部および側方部分の周囲に密封域を形成するために、脆弱線３最上部および最下部の横方向線５の外側のブランク１の縁部が、図示しない従来の密封装置を用いて加熱および圧縮を受ける。言い換えれば、これにより、先に説明した実施形態の容器では、第一側壁６０の側方縁部と第二側壁６１の側方縁部との間に密封を形成する。
【００４９】
横方向線５”，５”’と脆弱線９と間に含まれ、横方向線５’によって分離された二つの重なり合った長方形パネルＰから構成されるブランク１の部分は、このように平坦に広げられ、一方、上述の通り折り畳まれたブランク１の側方部分は、図３に示すよう既知の方法で折り畳まれる。この状況において、形成される容器２は、その最下部に、形成される容器２の本体から軸方向に突出する２つの略三角形のウィング１７を有する。
【００５０】
次に、ウィング１７は、ウィングを部分的に区切る線９のそれぞれの部分を中心に１８０°折り畳まれて、形成される容器２のそれぞれの側部に対して平坦とされ（図４）、その後、側部自体に密封されるまたは接着される。
【００５１】
図５〜図７に示す通り、容器２が、容器２自体の内部の製品を供給要素１５を通じて適量供給するために用いられた後、容器の内部に残っている製品に接する空気が存在することを防止するまたはかなりの程度低減するよう容器２を作用させることができる。
【００５２】
この作用は、第一パネル７，８（図５）を一体となるよう押圧するように、容器２自体の大きい面に対して垂直な方向に沿ってブランク１の互いに密封された水平方向縁部６の下側で容器２を手で圧縮することによって生じる。
【００５３】
続けて容器２を空にするには、その領域をパネル７，８から離れる方向にさらに圧縮し続ける（図６および図７）ことにより行われ、これにより、容器２の対向する大きな側壁に対応する領域に配置される互いに隣接する複数のペアの横方向線５間に配置されるブランク１の領域が一体となるよう続けて押圧される。
【００５４】
なお、横方向脆弱線５は、所定の領域における容器２を弱くする機能を有し、その形状により、加えられる圧搾作用を制御できることを記載しておく。必要に応じて、選択的にかつ漸進的に圧搾可能な領域７，８，１０，１１を定義する脆弱線５，９，１１ａ，１２，１３を折り畳むことにより、所定の回数の分量の製品または残りの回数の分量の製品を定義することもできる。好ましくは、これらの分量は、容器２，１９に示される（例えばミリリットルの尺度での印刷を用いて）。
【００５５】
さらに、対角線１２を定義する脆弱線と、パネル１０，１１を区切る脆弱線（線５，３，９，１１ａの一部を形成する）とは、圧搾および扱いをより簡単にするために容器２の大きな側壁を弱くする機能を有する。実際に、これらの脆弱線により、容器の剛性が脆弱線自体によって局所的に低減されるので、容器２を破損することなく内容物をすべて吐出することができる。加えて、脆弱線によって、この容器を、このような脆弱線のない容器よりも見た目が美しいと感じさせることができる。
【００５６】
図８は、ブランク１の変形例を構成する、図９〜図１２に示す容器１９を形成するのに使用可能なブランク１８を示す。容器１９は、ブランクの変形例１８から形成される容器２の変形例を構成する。
【００５７】
可能な場合にはブランク１を説明するために用いたものと同じ参照符号を用いて説明するブランク１８において、ブランク２の弓形線１３と、パネル７，８と横方向脆弱線５”，５”’との間に配置されるそれぞれの縦方向脆弱線９の部分とは、四つの直線的な脆弱線２０で置き換えられている。四つの直線的な脆弱線２０はそれぞれ、垂直縁部４と水平方向縁部６との間のそれぞれの交点と、長方形パネルＰのうちの一つのその交点に最も近い角と、の間に延設される。
【００５８】
脆弱線２０の存在と形状のために、ブランク１８のパネル１０，１１は、ブランク１のパネル１０，１１の略正方形とは異なる形状を、より詳細には直角台形の形状を有する。
【００５９】
概して言えば、脆弱線３，９，１１ａ，２０は、それらが形成される容器２，１９の脆弱線５，５’，５”，５”’に対して交差している。より具体的には、ブランク１においては、脆弱線３，９，１１ａは、脆弱線５，５’，５”，５”’に対して垂直であるが、ブランク１８においては、脆弱線２０は、脆弱線５，５’，５”，５”’に対して傾斜している。
【００６０】
ブランク１８は、図９〜図１２に生産における異なる工程で示した容器１９を形成するために用いられる。
【００６１】
容器１９は、容器２に関して上述したのと同じ方法で組み立てられ、また、容器２と同じ方法で用いられる。
【００６２】
容器１９の大きい壁の形状、および全体としての容器１９の形状は、二等辺台形によく似ている。
【００６３】
容器１９の第二縦方向端部５１は、好ましくは、四角形（正方形または長方形）の形状である。
【００６４】
先において説明したことから、上述した容器２，１９には、従来技術の先に述べた欠点がないことは明らかであろう。
【００６５】
一旦内容物が完全に吐出されると、容器２，１９は、一部が延設の長手方向に対して垂直に折り畳まれるまたは巻き上げられることなく、略平らになる。
【００６６】
また、説明した容器２，１９は、空気を内部に入らせることなくかつ／または留まらせることなく内容物を漸進的に圧搾して出すことができ、そして完全にかつ使い勝手よく空にすることができる。
【００６７】
内容物を容易にかつ完全に圧搾して出すことができることは、容器２，１９が他の場合には吐出できないであろう製品を（例えば濃密なトマトペースト、ケチャップまたはマヨネーズ）を収容している場合に、特に有用である。
【００６８】
さらに、適当な形状の供給要素１５およびキャップ１６を有する容器２，１９を提供することによって、通常「逆立ち（top down）」姿勢として知られている状態に容器２，１９を維持することができる。
【先行技術文献】
【特許文献】
【００６９】
【特許文献１】米国特許第３０６５８９８号明細書
【図１】
2018536598.tif 000003
【図２】
2018536598.tif 000004
【図３】
2018536598.tif 000005
【図４】
2018536598.tif 000006
【図５】
2018536598.tif 000007
【図６】
2018536598.tif 000008
【図７】
2018536598.tif 000009
【図８】
2018536598.tif 000010
【図９】
2018536598.tif 000011
【図１０】
2018536598.tif 000012
【図１１】
2018536598.tif 000013
【図１２】
2018536598.tif 000014
【国際調査報告】
2018536598.tif 000015
2018536598.tif 000016
2018536598.tif 000017